(57)【要約】      （修正有）【課題】携帯電話を斜めに置いて支え、更なる薄型化効果を有する携帯電話の保護カバーを提供する。【解決手段】主に、電池蓋３０、支持板４０、皮革５０、保護片５３により構成され、前記電池蓋は携帯電話の背面部に取り付けて電池に蓋をするのに用い、並びに、携帯電話と緊密に嵌合させる。前記電池蓋には肉厚部３００と肉薄部３０１を備え、肉厚部３００は直接、軽量薄型の皮革５０と一体となるよう貼り合わせ、支持板４０は電池蓋３０の肉薄部３０１に対応して皮革５０と一体となるよう貼り合わせる。前記皮革には連結する連結部５２及び保護片５３を設け、電池蓋３０の背面から携帯電話の正面までを包覆し、携帯電話の画面を保護する効果を達成する。支持板４０は電池蓋の肉薄部３０１に重ね合わせて、肉厚部３００と同一平面となる。支持板４０を開いて挟角度を設けると、電池蓋３０、支持板４０及び保護片５３は三角立体支持形態が形成される。【選択図】図５
0003188878.tif 000002
【実用新案登録請求の範囲】
【請求項１】
電池蓋、支持板、皮革、及び保護片によって構成される携帯電話の保護カバーであって、
前記電池蓋の周囲エッジには複数の鈎体を設け携帯電話背面部の溝にはめ合わせて被嵌し、
前記電池蓋の他面には肉厚部と肉薄部を備え、肉厚部と皮革は貼り合せて一体となるよう結合し、肉薄部の外側エッジには直線配列した複数の定位孔を設け、
前記支持板は皮革と一体となるよう貼り合わせ肉薄部の形状に対応させ、尚且つ直線配列する複数の定位柱を設け、定位柱は対応する定位孔に挿入し、
前記皮革には連結部及び保護片を連結し、電池蓋の背面から携帯電話の正面までを包覆することができることを特徴とする携帯電話の保護カバー。
【請求項２】
前記支持板と電池蓋の肉薄部を重ね合わせた後は、肉厚部と同一平面に形成されることを特徴とする請求項１に記載の携帯電話の保護カバー。
【請求項３】
前記肉厚部と支持板との間に隙間を備え、隙間箇所に対応する皮革には弾力的に屈曲し支持板を開閉する可撓性部を形成することを特徴とする請求項１に記載の携帯電話の保護カバー。
【考案の詳細な説明】
【技術分野】
【０００１】
本考案は携帯電話の保護カバーであり、特に電池蓋に肉厚部と肉薄部を設け、肉薄部に支持板を重ねあわせて肉厚部と同一平面となるようにし、支持片の角度を開いて支持し、別にゴム質の保護カバーを増設せずに支持し、携帯電話を斜めに置くことができ、全体をより軽量で薄型化する効果を有する。
【背景技術】
【０００２】
現在の携帯式の電子機器で主流となるスマートフォンは、タッチパネルの大きな画面が主な特徴である。しかも、無線ランが使用でき、撮影、映画や音楽を流す等の多種機能を備える。また、携帯電話には、電話を掛けたり受けられる他、携帯電話を使って映画を流すことができるものもある。しかし、映画鑑賞する場合、通常は、使用者の鑑賞の利便を図るために携帯電話の画面を適当な角度に調整する必要がある。例えば公知の携帯電話の保護カバーには図1及び図2に示すような設計のものがある。これは、携帯電話10を収納するための収納部12を備えたゴム質ケース11を設け、密着片14、折目線15、支持片16、連結片17、及び保護片18を備えた皮ケース13を設ける。前記密着片14は、ゴム質ケース11の背面一方に粘着固定し、密着片14と支持片16の間に設けた折目線15は、支持片16を屈曲させてゴム質ケース11から遠くするか近くするかの角度を変化させる。前記支持片16の他の端からは連結片17及び保護片18を延長させる。前記皮ケース13はゴム質ケース11を支持するために屈曲させて三角立体状をつくることができ、これにより、携帯電話10を斜めに置いて携帯電話から流れる映画を鑑賞することができる。前述した公知技術において、実際には、携帯電話10の保護ケースはゴム質ケース11及び皮ケース13の肉厚を含むため、保護カバー全体が厚くなりすぎて携帯に不便であり、携帯電話10はゴム質ケース11によって包み込まれて元来のオリジナル設計が隠れてしまう欠点を有する。
【０００３】
また、公知の保護カバーにあるもう一つの形態であるが、これは、携帯電話20の電池蓋23と連結部25及び保護片2を一体成形したものである。前記携帯電話20の機体には電池22を入れ溝21を設ける。前記電池蓋23には溝21に対応する鈎体24を設け、蓋を被せた時に溝内に嵌入して固定する。前記連結部25を屈曲させて保護片26を携帯電話20の画面に被せるため、携帯電話20のデザイン設計を隠蔽するゴム質の保護カバーを別に取り付ける必要がなく、携帯電話の保護カバーを薄型化する。但し、前述した公知技術は電池蓋23と保護片26を一体成形するために、保護片26を折り曲げ携帯電話20を斜めに置いて支える形態での映画鑑賞ができない欠点が残る。
【考案の概要】
【考案が解決しようとする課題】
【０００４】
本考案の主な目的は、前述の問題点を解決するために、利便性および実用性を備えた携帯電話の保護カバーを提供することにある。
【課題を解決するための手段】
【０００５】
本考案の携帯電話の保護カバーは、携帯電話20の電池蓋30に肉厚部300と肉薄部301を備え、肉厚部300を直接、軽量で薄型の軟性皮革50に貼り合わせることで、携帯電話20全体の厚みを減少させ、支持板40を軟性皮革50に貼り合わせる。これにより、開いた時に立体的に携帯電話20を支え、閉じた時に支持板40は平たく肉薄部301に密着し、肉厚部300は同じ厚みの平面となる。よって、携帯電話20にはゴム質の保護カバーを別に取り付ける必要なく、傾斜した角度に置く事ができ、携帯電話20全体の厚みを減らして携帯の利便を図り、並びに、携帯電話20の元々のデザインを隠すことなく製品の特色を表現する実用効果を有する。
【考案の効果】
【０００６】
本考案の携帯電話の保護カバーは以下の効果を有する。
（１）本考案は、皮革50を直接、携帯電話の電池蓋30の肉厚部300に直接貼り合わせたものであり、比較的厚みのあるゴム質の保護カバーを増設する必要がないため、携帯電話を取り付けた後の厚みが比較的薄く、ポケットやバッグへの収納の利便を図る。
（２）支持板40と皮革50を粘着した後、皮革50にはその他の硬質板を埋め込む必要がなく即刻支持力を備えることができる。
（３）本考案はその他のゴム質の保護カバーを増設する必要がないため、携帯電話の輪郭デザインが隠蔽されることなく、完全に製品の特色を表すことができ、更に携帯電話に保護効果を持たせることができる。
【図面の簡単な説明】
【０００７】
【図１】従来の携帯電話の保護カバーの立体図である。
【図２】図１の組立断面図である。
【図３】従来の携帯電話の保護カバーのもう一つの立体図である。
【図４】図３の組立断面図である。
【図５】本考案の立体分解図である。
【図６】本考案の組立立体図である。
【図７】本考案の組立断面図である。
【図８】本考案の支持状態を示す断面図である。
【考案を実施するための形態】
【０００８】
貴審査委員の方々に本考案をさらにご理解いただく為に、次に、図面を参照とした実施例によって詳細説明をする。
【０００９】
図5、6、7、8に示す通り、本考案の携帯電話の保護カバーは、電池蓋30、支持板40、皮革50、及び保護片53によって構成される。電池蓋30の周囲エッジには複数の鈎体32を設け携帯電話背面部の溝21にはめ合わせて被嵌する。電池蓋30の他面には肉厚部300と肉薄部301を備え、肉厚部300は直接、軽く肉薄の皮革50と一体となるよう粘着結合する。肉薄部301の外側エッジには直線配列した複数の定位孔33を設ける。支持板40は皮革50と一体となるよう粘着結合して電池蓋30の肉薄部301の形状に対応させ、尚且つ直線配列する複数の定位柱41を設け、定位柱41は対応する定位孔33に挿入する。これにより、支持板40は肉薄部301と精確に重なり合い肉厚部300の同一平面に形成される。皮革50には連結部52及び保護片53を連結し、電池蓋30の背面から携帯電話20の正面までを包覆することができる。また、肉厚部300と支持板40との間には隙間を設け、隙間箇所に対応する皮革50には弾力的に屈曲、変形し支持板40を開閉させる可撓性部51を設ける。前述した通り、支持板40は閉じて電池蓋30の肉薄部301に密着させることも、一定の角度に開いて立体的に支持する形態として携帯電話20を斜めに配置することも可能であり、保護カバーをより薄型化する実用効果を有する。
【００１０】
本考案の構成の詳細は以下の通りである。本考案の電池蓋30は携帯電話20本体が携帯内部及び固定電池22を保護する時に必要な保護用蓋であり、携帯電話20の背面周囲エッジに設けた複数の溝21と、電池蓋30の周囲エッジに設け溝21に対応する複数の鈎体24とを嵌め込んで被嵌し、電池蓋30の一方は支持板40と重なり合わせる。これにより、電池蓋30は一方が肉厚部300、もう一方が肉薄部301の形態となるため、電池蓋30と支持板40を組み合わせた後は同一平面が形成される（図7参照）。また、皮革50は何れの硬質板を埋設していない柔軟な薄い布状の皮面であり、電池蓋30の肉厚部300と皮革50を貼り合わせた後、その厚さの変化は僅かなもので、支持板40と皮革5を貼り合わせて固定した後、皮革50は支持力を備えた非柔軟なものとなる（図8参照）。支持板40を閉じた状態にする時、支持板40の定位柱41は電池蓋30の定位孔33に挿入されるため、支持板40はしっかりと電池蓋30の肉薄部301を滑り動くことなく固定される。肉厚部300と支持板40との間には隙間を設け、隙間箇所の皮革50に対応する可撓性部51が形成され、可撓性部51は、支持板40を開く際に、皮革50を曲げて伸ばす空間がなくなり破壊的な変形を生じさせ皮革50表面に損傷を与える事態を防ぐ。支持板40を開いた状態では、可撓性部51は弾性的な屈曲を保つことができ、支持板40を一定角度に開いて三角形の立体形状を形成し、携帯電話20を斜めに置いて携帯電話から流れる映画を鑑賞できる。また、保護片53には透視窓54を設けてあるため、保護片53をめくらなくとも携帯電話20のメッセージ内容を便利に見られ、実用効果を実現することができる。
【００１１】
前述から理解されるように、本考案は以下の効果及び長所を有する。
（１）本考案は、皮革50を直接、携帯電話の電池蓋30の肉厚部300に直接貼り合わせたものであり、比較的厚みのあるゴム質の保護カバーを増設する必要がないため、携帯電話を取り付けた後の厚みが比較的薄く、ポケットやバッグへの収納の利便を図る。
（２）支持板40と皮革50を粘着した後、皮革50にはその他の硬質板を埋め込む必要がなく即刻支持力を備えることができる。
（３）本考案はその他のゴム質の保護カバーを増設する必要がないため、携帯電話の輪郭デザインが隠蔽されることなく、完全に製品の特色を表すことができ、更に携帯電話に保護効果を持たせることができる。
【００１２】
但し、前述は単に本考案の好ましい実施例で、本考案の特徴を制限するものではなく、本考案に関する技術手段、創作の原理を用いた新たな創作は全て、本考案と同等効果を有する構造に属するものとする。
【００１３】
上述した通り、本考案の構造は確実に最も好ましい実用性を有し効果を向上させ、特許法の規定に符合するものである故、ここに法に依拠して出願を行う。
【符号の説明】
【００１４】
（公知技術）
10     携帯電話
11     ゴム質ケース
12     収納部
13     皮ケース
14     密着片
15     折目線
16     支持片
17     連結片
18     保護片
21     溝
22     電池
23     電池蓋
24     鈎体
25     連結部
26     保護片
（本考案）
30     電池蓋
300    肉厚部
301    肉薄部
32     鈎体
33     定位孔
40     支持板
41     定位柱
50     皮革
51     可撓性部
52     連結部
53     保護片
54     透視窓
【図１】
0003188878.tif 000003
【図２】
0003188878.tif 000004
【図３】
0003188878.tif 000005
【図４】
0003188878.tif 000006
【図５】
0003188878.tif 000007
【図６】
0003188878.tif 000008
【図７】
0003188878.tif 000009
【図８】
0003188878.tif 000010